(57)【要約】【課題】  ｘＤＳＬ回線の断線を検出する。【解決手段】  利用者宅内のｘＤＳＬモデムとサービス提供施設内のｘＤＳＬモデムを電話回線を介して接続し、音声通話帯域とは異なるｘＤＳＬ通信帯域に設定された複数の副搬送波を用いてデータ通信を行うｘＤＳＬ通信システムにおいて、利用者宅内およびサービス提供施設内のｘＤＳＬモデムは、利用者宅からサービス提供施設への上り用通信帯域内で使用可能な１つの副搬送波を選択し、この副搬送波を用いてパイロット信号を伝送し、このパイロット信号を監視することにより電話回線の断線検出を行う。【選択図】        図１
2007135053.tif 000002
【特許請求の範囲】
【請求項１】
利用者宅内のｘＤＳＬモデムとサービス提供施設内のｘＤＳＬモデムを電話回線を介して接続し、音声通話帯域とは異なるｘＤＳＬ通信帯域に設定された複数の副搬送波を用いてデータ通信を行うｘＤＳＬ通信システムにおいて、
前記利用者宅内および前記サービス提供施設内のｘＤＳＬモデムは、前記利用者宅から前記サービス提供施設への上り用通信帯域内で使用可能な１つの副搬送波を選択し、この副搬送波を用いてパイロット信号を伝送し、このパイロット信号を監視することにより前記電話回線の断線検出を行う構成である
ことを特徴とするｘＤＳＬ回線断線検出システム。
【請求項２】
請求項１に記載のｘＤＳＬ回線断線検出システムにおいて、
前記利用者宅内および前記サービス提供施設内のｘＤＳＬモデムは、前記パイロット信号を伝送する副搬送波として、前記上り用通信帯域内で安定して通信可能な副搬送波の中で周波数が最も低い副搬送波を選択する構成である
ことを特徴とするｘＤＳＬ回線断線検出システム。
【請求項３】
請求項１に記載のｘＤＳＬ回線断線検出システムにおいて、
前記利用者宅内および前記サービス提供施設内のｘＤＳＬモデムは、前記パイロット信号を伝送する副搬送波として、前記上り用通信帯域の副搬送波の中から、前記利用者宅内のｘＤＳＬモデムに接続の機器から設定された所定の副搬送波を選択する構成である
ことを特徴とするｘＤＳＬ回線断線検出システム。
【請求項４】
サービス提供施設内のｘＤＳＬモデムと電話回線を介して接続され、音声通話帯域とは異なるｘＤＳＬ通信帯域に設定された複数の副搬送波を用いてデータ通信を行う利用者宅内に備えられたｘＤＳＬモデムにおいて、
前記サービス提供施設内のｘＤＳＬモデムとの間で、前記利用者宅から前記サービス提供施設への上り用通信帯域内で使用可能な１つの副搬送波を選択し、この副搬送波を用いて電話回線の断線検出用のパイロット信号を送信する手段を備えた
ことを特徴とするｘＤＳＬモデム。
【請求項５】
利用者宅内のｘＤＳＬモデムと電話回線を介して接続され、音声通話帯域とは異なるｘＤＳＬ通信帯域に設定された複数の副搬送波を用いてデータ通信を行うサービス提供施設内に備えられたｘＤＳＬモデムにおいて、
前記利用者宅内のｘＤＳＬモデムとの間で、前記利用者宅から前記サービス提供施設への上り用通信帯域内で使用可能な１つの副搬送波を選択し、この副搬送波を用いて伝送されたパイロット信号を監視し、前記電話回線の断線検出を行う手段を備えた
ことを特徴とするｘＤＳＬモデム。
【請求項６】
請求項４または請求項５に記載のｘＤＳＬモデムにおいて、
前記パイロット信号を伝送する副搬送波として、前記上り用通信帯域内で安定して通信可能な副搬送波の中で周波数が最も低い副搬送波を選択する手段を備えた
ことを特徴とするｘＤＳＬモデム。
【請求項７】
請求項４に記載のｘＤＳＬモデムにおいて、
前記パイロット信号を伝送する副搬送波として、前記上り用通信帯域の副搬送波の中から、前記利用者宅内のｘＤＳＬモデムに接続の機器から設定された所定の副搬送波を選択する手段を備えた
ことを特徴とするｘＤＳＬモデム。
【発明の詳細な説明】
【技術分野】
【０００１】
本発明は、ｘＤＳＬ信号を伝送する電話回線の断線を検出するｘＤＳＬ回線断線検出システムおよびｘＤＳＬモデムに関する。
【背景技術】
【０００２】
ｘＤＳＬは、電話回線として使用されてきた既存のメタルケーブルを用い、音声通話帯域（４ｋHz帯域）に影響を与えない25ｋHz以上のｘＤＳＬ通信帯域でデータ通信を行う方法である。ｘＤＳＬでは、利用者宅からサービス提供施設への上り用通信帯域として25〜 138ｋHzを割り当て、サービス提供施設から利用者宅への下り用通信帯域として 138〜3750ｋHzを割り当てる。その実現方法は、例えばＡＤＳＬではＩＴＵ−Ｔ勧告Ｇ992.1 およびＧ992.2 などで国際標準として規定されている。また、変調方式として採用されているＤＭＴ方式では、電話回線の１ＭHzの帯域を４ｋHzずつ 256分割した副搬送波を用いて個別にＱＡＭ変調を行い、高速に信号情報を伝送できるように工夫されている。
【０００３】
一方、電話回線の断線等を監視するサービス（以下、「電話回線監視サービス」という）として、電話機の回線捕捉、開放時に関係なく、利用者宅内から電話回線に常時送信される監視信号(7.8ｋHz）を電話局側で監視し、電話回線の断線などを検知するシステムがある（特許文献１）。このシステムは、電話局側で監視信号の切断を検知すると、予め指定した監視センタにその異常発生を知らせるものである。
【特許文献１】特開平８−２３５４７８号公報
【発明の開示】
【発明が解決しようとする課題】
【０００４】
ところで、25ｋHz以上の信号を伝送しているｘＤＳＬ回線では、従来の 7.8ｋHzの監視信号を用いた回線断を検出できないことがある。その理由は、 7.8ｋHzの監視信号が切断したにもかかわらず、電話局側の監視装置ではｘＤＳＬ通信帯域からの残留側波帯により切断を検出できないためである。
【０００５】
また、ｘＤＳＬ回線に 7.8ｋHzの監視信号を流すと、 7.8ｋHzの監視信号とｘＤＳＬ信号が位相同期をとっていないために相互に干渉し、ｘＤＳＬ信号が正しく伝送されない問題がある。そのため、現状ではｘＤＳＬサービスを利用するか電話回線監視サービスを利用するか、二者択一になっている。
【０００６】
本発明は、ｘＤＳＬ回線における断線を検出することができ、電話回線監視サービス等に供することができるｘＤＳＬ回線断線検出システムおよびｘＤＳＬモデムを提供することを目的とする。
【課題を解決するための手段】
【０００７】
第１の発明は、利用者宅内のｘＤＳＬモデムとサービス提供施設内のｘＤＳＬモデムを電話回線を介して接続し、音声通話帯域とは異なるｘＤＳＬ通信帯域に設定された複数の副搬送波を用いてデータ通信を行うｘＤＳＬ通信システムにおいて、利用者宅内およびサービス提供施設内のｘＤＳＬモデムは、利用者宅からサービス提供施設への上り用通信帯域内で使用可能な１つの副搬送波を選択し、この副搬送波を用いてパイロット信号を伝送し、このパイロット信号を監視することにより電話回線の断線検出を行う構成である。
【０００８】
ここで、利用者宅内およびサービス提供施設内のｘＤＳＬモデムは、パイロット信号を伝送する副搬送波として、上り用通信帯域内で安定して通信可能な副搬送波の中で周波数が最も低い副搬送波を選択する構成としてもよい。また、利用者宅内およびサービス提供施設内のｘＤＳＬモデムは、パイロット信号を伝送する副搬送波として、上り用通信帯域の副搬送波の中から、利用者宅内のｘＤＳＬモデムに接続の機器から設定された所定の副搬送波を選択する構成としてもよい。
【０００９】
第２の発明は、サービス提供施設内のｘＤＳＬモデムと電話回線を介して接続され、音声通話帯域とは異なるｘＤＳＬ通信帯域に設定された複数の副搬送波を用いてデータ通信を行う利用者宅内に備えられたｘＤＳＬモデムにおいて、サービス提供施設内のｘＤＳＬモデムとの間で、利用者宅からサービス提供施設への上り用通信帯域内で使用可能な１つの副搬送波を選択し、この副搬送波を用いて電話回線の断線検出用のパイロット信号を送信する手段を備える。
【００１０】
第３の発明は、利用者宅内のｘＤＳＬモデムと電話回線を介して接続され、音声通話帯域とは異なるｘＤＳＬ通信帯域に設定された複数の副搬送波を用いてデータ通信を行うサービス提供施設内に備えられたｘＤＳＬモデムにおいて、利用者宅内のｘＤＳＬモデムとの間で、利用者宅からサービス提供施設への上り用通信帯域内で使用可能な１つの副搬送波を選択し、この副搬送波を用いて伝送されたパイロット信号を監視し、電話回線の断線検出を行う手段を備える。
【００１１】
ここで、第２または第３の発明のｘＤＳＬモデムにおいて、パイロット信号を伝送する副搬送波として、上り用通信帯域内で安定して通信可能な副搬送波の中で周波数が最も低い副搬送波を選択する手段を備えてもよい。また、パイロット信号を伝送する副搬送波として、上り用通信帯域の副搬送波の中から、利用者宅内のｘＤＳＬモデムに接続の機器から設定された所定の副搬送波を選択する手段を備えてもよい。
【発明の効果】
【００１２】
本発明のｘＤＳＬ回線断線検出システム、利用者宅内およびサービス提供施設内のｘＤＳＬモデムは、上り用通信帯域内の１つの副搬送波を用いてパイロット信号を伝送し、そのパイロット信号を監視することにより、ｘＤＳＬ信号に影響を与えることなく、またｘＤＳＬ信号から影響を受けることなく、確実に電話回線の断線検出を行うことができる。
【発明を実施するための最良の形態】
【００１３】
図１は、本発明のｘＤＳＬ回線断線検出システムの実施形態を示す。
図において、利用者宅内１の電話機１４とサービス提供施設内２の電話交換機２３は、電話回線３およびスプリッタ１１，２１を介して接続され、４ｋHz以下の音声通話帯域で音声信号が伝送される。利用者宅内１のｘＤＳＬモデム１２とサービス提供施設内２のｘＤＳＬモデム２２は、電話回線３およびスプリッタ１１，２１を介して接続され、25ｋHz〜3750ｋHzのｘＤＳＬ通信帯域でデータ信号が伝送される。すなわち、スプリッタ１１，２１は、４ｋHz以下の音声通話帯域の信号と25ｋHz〜3750ｋHzのｘＤＳＬ通信帯域のデータ信号の多重・分離を行う。ｘＤＳＬモデム１２にはコンピュータ１３が接続され、ｘＤＳＬモデム２２にはＩＰ網２４が接続され、電話回線３を用いたｘＤＳＬ回線を介してコンピュータ１３とＩＰ網２４が接続される。
【００１４】
ここで、音声通話帯域およびｘＤＳＬ通信帯域における副搬送波群を図２に示す。音声通話帯域３１は４ｋHz以下に設定される。利用者宅からサービス提供施設への上り用通信帯域３２は25〜 138ｋHzに設定され、サービス提供施設から利用者宅への下り用通信帯域３３は 138〜3750ｋHzに設定される。また、上り用通信帯域３２および下り用通信帯域３３は、約４ｋHzずつ分割した副搬送波群で構成され、かつ各副搬送波群はそれぞれ位相同期がとられている。
【００１５】
利用者宅内１のｘＤＳＬモデム１２は、上り用通信帯域３２の副搬送波群の中から使用可能な１つの副搬送波３４を選択し、この副搬送波３４を用いてパイロット信号を送信するパイロット信号送信処理部１５を備える。サービス提供施設内２のｘＤＳＬモデム２２は、上り用通信帯域の１つの副搬送波３４を用いて伝送されたパイロット信号を監視し、パイロット信号の切断を検出したときに、電話回線３に断線が発生したと判断して回線断線検出信号を出力する回線断線検出部２５を備える。
【００１６】
図３は、利用者宅内のｘＤＳＬモデム１２の構成例を示す。
図において、ｘＤＳＬモデム１２は、フレーム化／スクランブル処理部、副搬送波生成／除去処理部、データ符号化／復号化処理部、逆フーリエ変換／フーリエ変換処理部、シリアル／パラレル変換処理部、ディジタル／アナログ変換処理部から構成されるｘＤＳＬモデム基本構成部１６と、パイロット信号送信処理部１５を構成するパイロット信号生成部１５１および制御部１５２を有する。パイロット信号生成部１５１および制御部１５２は、ｘＤＳＬモデム基本構成部１６の副搬送波生成／除去処理部に接続される。ｘＤＳＬモデム基本構成部１５のディジタル／アナログ変換処理部は電話回線３に対してｘＤＳＬ信号を入出力し、フレーム化／スクランブル処理部はコンピュータ１３との間で送受信データ信号を入出力する。
【００１７】
図４は、サービス提供施設内のｘＤＳＬモデム２２の構成例を示す。
図において、ｘＤＳＬモデム２２は、フレーム化／スクランブル処理部、副搬送波生成／除去処理部、データ符号化／復号化処理部、逆フーリエ変換／フーリエ変換処理部、シリアル／パラレル変換処理部、ディジタル／アナログ変換処理部から構成されるｘＤＳＬモデム基本構成部２６と、回線断線検出部２５を構成するパイロット信号検出部２５１および回線断線判断部２５２を有する。パイロット信号検出部２５１は、ｘＤＳＬモデム基本構成部２６の副搬送波生成／除去処理部に接続される。ｘＤＳＬモデム基本構成部２５のディジタル／アナログ変換処理部は電話回線３に対してｘＤＳＬ信号を入出力し、フレーム化／スクランブル処理部はＩＰ網２４との間で送受信データ信号を入出力する。
【００１８】
以下、図２〜図４を参照して電話回線３の断線検出動作について説明する。まず、利用者宅内１のｘＤＳＬモデム１２とサービス提供施設内２のｘＤＳＬモデム２２は、使用可能な副搬送波（チャネル）を決めるためにトレーニングとネゴシエーションを行い、図２に示す上り用通信帯域３２の副搬送波群および下り用通信帯域３３の副搬送波群の中から、雑音などで使用できない副搬送波を除いて安定して使用可能な副搬送波群を決める。ｘＤＳＬモデム１２は、上り用通信帯域３２の副搬送波群の中の使用可能な副搬送波群を制御部１５２に通知する。制御部１５２は、通知された副搬送波群の中から、例えば周波数が最も低い副搬送波を選択し、その副搬送波にパイロット信号生成部１５１で生成するパイロット信号を乗せ、送信データとともにｘＤＳＬモデム基本構成部１６で処理して送信するように制御する。
【００１９】
なお、利用者宅内１のｘＤＳＬモデム１２の制御部１５２は、パイロット信号を乗せる副搬送波として、ｘＤＳＬモデム１２に接続される機器（例えばコンピュータ１３）から指示される任意の副搬送波を選択するようにしてもよい。その場合に、選択された副搬送波（チャネル）は、サービス提供施設内２のｘＤＳＬモデム２２とのネゴシエーションの中で、ｘＤＳＬモデム１２からｘＤＳＬモデム２２へ通知される。
【００２０】
サービス提供施設内２のｘＤＳＬモデム２２は、ｘＤＳＬモデム基本構成部２６で受信信号を処理し、パイロット信号検出部２５１は利用者宅内１のｘＤＳＬモデム１２との間で選択した副搬送波に乗っているパイロット信号を検出する。回線断線判断部２５２は、パイロット信号検出部２５１でパイロット信号が所定時間検出されない場合に電話回線３の断線と判断し、回線断線検出信号を外部へ送出する。
【図面の簡単な説明】
【００２１】
【図１】本発明のｘＤＳＬ回線断線検出システムの実施形態を示す図。
【図２】音声通話帯域およびｘＤＳＬ通信帯域における副搬送波群を示す図。
【図３】利用者宅内のｘＤＳＬモデム１２の構成例を示す図。
【図４】サービス提供施設内のｘＤＳＬモデム２２の構成例を示す図。
【符号の説明】
【００２２】
１  利用者宅内
２  サービス提供施設内
３  電話回線
１１，２１  スプリッタ
１２，２２  ｘＤＳＬモデム
１３  コンピュータ
１４  電話機
１５  パイロット信号送信処理部
１５１  パイロット信号生成部
１５２  制御部
１６  ｘＤＳＬモデム基本構成部
２３  電話交換機
２４  ＩＰ網
２５  回線断線検出部
２５１  パイロット信号検出部
２５２  回線断線判断部
２６  ｘＤＳＬモデム基本構成部
【図１】
2007135053.tif 000003
【図２】
2007135053.tif 000004
【図３】
2007135053.tif 000005
【図４】
2007135053.tif 000006